(57)【要約】【課題】  貯水槽に対して滅菌液を正確に供給することができる簡易滅菌液供給装置を提供する。【解決手段】  容器３から滅菌液をポンプアップして貯水槽２に供給する往復動ポンプ４と、これを駆動する電動駆動手段６と、電動駆動手段６を制御する制御部８を設ける。制御部８に運転１回当りの往復動ポンプ４の往復回数を切替え設定して運転１回当りの滅菌液の供給量を切替え設定する供給量設定手段１０を設けて、簡単に、短時間で供給量を切替え設定できるようにした。また、前記容器３を格納する外容器２０外から該外容器２０内への伝熱を抑制する断熱手段３１を設けている。【選択図】  図１
2005125308.tif 000002
【特許請求の範囲】
【請求項１】
貯水槽内に設置され、滅菌液を収容する容器と、該容器から滅菌液をポンプアップして貯水槽に供給するポンプと、該ポンプを駆動する電動駆動手段と、電源及び上記電動駆動手段を制御する制御部とを備える簡易滅菌液供給装置において、
上記制御部が上記電動駆動手段の所定期間内の運転回数を複数段に切替え設定する頻度設定手段と、１回の運転における上記ポンプの往復回数又は回転数を複数段に切替え設定することにより１回の運転における供給量を切替え設定する供給量設定手段とを備えていることを特徴とする簡易滅菌液供給装置。
【請求項２】
滅菌液を収納して貯水槽内に配置される容器と、該容器から滅菌液をポンプアップして貯水槽に供給するポンプを備える簡易滅菌液供給装置において、
前記容器外から該容器内への伝熱を抑制する断熱手段が設けられていることを特徴とする簡易滅菌液供給装置。
【請求項３】
更に、上記ポンプを駆動する電動駆動手段と、電源及び上記電動駆動手段を制御する制御部とを備え、
上記制御部が上記電動駆動手段の所定期間内の運転回数を複数段に切替え設定する頻度設定手段と、１回の運転における上記ポンプの往復回数又は回転数を複数段に切替え設定することにより１回の運転における供給量を切替え設定する供給量設定手段とを備える請求項２に記載の簡易滅菌液供給装置。
【請求項４】
上記ポンプの滅菌液吐出口にＵトラップを備える請求項１から３のいずれかに記載の簡易滅菌液供給装置。
【請求項５】
前記容器内の上部が所定の長さ以上のチューブを介して該容器外に連通された請求項４に記載の簡易滅菌液供給装置。
【請求項６】
前記チューブ内に滅菌液から蒸発した次亜塩素酸ナトリウムガスを捕捉するフィルタが挿入された請求項５に記載の簡易滅菌液供給装置。
【発明の詳細な説明】
【技術分野】
【０００１】
本発明は貯水槽内に塩素系滅菌剤等の滅菌剤を含む滅菌液を供給する簡易滅菌液供給装置に関する。
【背景技術】
【０００２】
本出願人の先願に係る滅菌液供給装置を記載した特許文献として下記の特許文献１がある。
【０００３】
この特許文献１には、貯水槽内に設置され、滅菌液を収容する容器と、該容器から滅菌液をポンプアップして貯水槽内供給する往復動ポンプと、該往復動ポンプを駆動する電動駆動手段と、電源及び上記電動駆動手段を制御する制御部とを備える簡易滅菌液供給装置が記載されており、上記制御部は、上記電動駆動手段の所定期間内の運転回数（以下、運転頻度という。）を設定する頻度設定手段を備えた簡易滅菌液供給装置が記載されている。
【０００４】
また、前記容器は、ポンプを一体的に組み付けたキャップで閉塞される口を有する壜で構成され、該容器又はキャップには、ポンプアップにより容器内からポンプアップされた滅菌液の体積に見合う空気を容器内に吸入して容器の内圧を安定させるために、該容器内の上部を該容器外に連通させる通気孔が形成されている。
【０００５】
そして、前記容器を収納した貯水槽にも、貯水量の変動に見合う空気を貯水槽外から導入したり、貯水槽外に排出したりして貯水槽の内圧が大気圧と同じになるようにするために、該貯水槽内の上部を該貯水槽外に連通させる通気孔が設けられる。
【特許文献１】特開２００２−２２４５５５号公報
【発明の開示】
【発明が解決しようとする課題】
【０００６】
上記従来の装置では、１回の運転において往復動ポンプを往復させる回数は１回とされ、１回の運転において供給される滅菌液の供給量は往復動ポンプのストロークに対応する。
【０００７】
このため、１回の運転における滅菌液供給量の最大量が往復動ポンプの最大ストロークにより制限され、容量の大きい貯水槽に対して十分な量の滅菌液を供給できないという課題がある。
【０００８】
又、運転頻度が少ない場合には、往復動ポンプから貯水槽内に滅菌液を導くホースやその先端に接続したノズルなどの供給路の中で滅菌剤が析出して滅菌液の供給を妨げ滅菌液を正確に供給できないことがあるという課題がある。
【０００９】
一方、貯水槽内の気温変化に対応して容器内の温度が変化すると、容器内の滅菌液に含まれた次亜塩素酸ナトリウムが気化して、滅菌液の濃度が低下すると共に、容器内に蒸散した次亜塩素酸ナトリウムガスが容器の通気孔から貯水槽内に拡散される。
【００１０】
貯水槽内に拡散された次亜塩素酸ナトリウムガスは、一部分が必要に応じて貯水槽内に配置された吸着剤に吸着され、残部は貯水槽の通気孔から貯水槽外の大気中に拡散される。
【００１１】
その結果、従来の簡易滅菌液供給装置によれば、気化した次亜塩素酸ナトリウムガスが容器内の滅菌液に再溶解することがほとんどなく、容器内の滅菌液の濃度が次第に薄くなり、所定量の滅菌液を貯水槽内に供給しても水中の次亜塩素酸ナトリウムの濃度が所定値を下回るようになるおそれが生じる。
【００１２】
又、従来の簡易滅菌液供給装置によれば、腐食性を有する次亜塩素酸ナトリウムガスが容器外部に拡散され、周囲の他物の腐食を進めたり、人の健康に障害を与えたりするおそれがある。
【００１３】
本発明は、これら従来技術の課題を解消し、滅菌液を正確に供給することができるとともに、容量の異なる複数種類の貯水槽に対応して運転１回当りに供給する滅菌液の供給量を簡単に変更することができる簡易滅菌液供給装置を提供することを目的とする。
【課題を解決するための手段】
【００１４】
この目的を達成するため、本発明に係る簡易滅菌液供給装置は、貯水槽内に設置され、滅菌液を収容する容器と、該容器から滅菌液をポンプアップして貯水槽に供給するポンプと、該ポンプを駆動する電動駆動手段と、電源及び上記電動駆動手段を制御する制御部とを備える簡易滅菌液供給装置において、上記制御部が上記電動駆動手段の所定期間内の運転回数を複数段に切替え設定する頻度設定手段と、１回の運転における上記ポンプの往復回数又は回転数を複数段に切替え設定することにより１回の運転における供給量を切替え設定する供給量設定手段とを備えていることを特徴とするものである。
【００１５】
本発明によれば、供給量設定手段を用いて、１回の運転におけるポンプの往復回数又は回転数を複数段に切替え設定することにより１回の運転における供給量を複数段に切替え設定できるので、貯水槽の容量に対応して１回の運転における滅菌液の供給量を簡単に変更することができる。
【００１６】
ここで、ポンプとして往復動ポンプを用いる場合には、１回の運転におけるポンプの往復回数を複数段に切替え設定し、又、ポンプとしてロータリポンプを用いる場合には、１回の運転におけるポンプの回転数を複数段に切替え設定することになる。
【００１７】
なお、ポンプとして往復動ポンプを用いる場合には、１運転当りの滅菌液供給量は上記往復動ポンプのストロークを調整することによっても増減調整することができる。例えば往復動ポンプを駆動するカムとしてカムリフトの大きさが異なる複数のカムを用意し、この複数のカムから適切なカムリフトを有するものを択一して組込むという方法を採用すればよい。
【００１８】
ところで、所定の容量の貯水槽に対して１回の運転における滅菌液の供給量を増加させることにより運転頻度を減少させると、容器からポンプを経て貯水槽に開放される供給路内に残留した滅菌液からの析出物が生じ易くなり、供給路が詰まり易くなる。
【００１９】
しかし、本発明によれば、例えば往復動ポンプを２往復以上往復させることにより、ポンプの吸引量又は吐出量を増大させて、析出物で詰まっている供給路の内圧あるいは負圧を増大させ、析出物を後続の滅菌液と共にポンプに吸引したり、貯水槽に押出したりすることができるので、１往復分では解消できなかった供給路の詰まりを解消することができる。
【００２０】
一方、上記ポンプの滅菌液吐出口にはＵトラップを備える構成とすることが好ましい。
【００２１】
このようにすれば、ポンプ内から上記容器内に滅菌液が逆流してポンプ内に空気が進入することを確実に防止でき、ポンプが滅菌剤を吸引不能になることもない。
【００２２】
また、本発明は、滅菌液を収納して貯水槽内に配置される容器と、該容器から滅菌液をポンプアップして貯水槽に供給するポンプを備える簡易滅菌液供給装置において、前記容器外から該容器内への伝熱を抑制する断熱手段が設けられていることを特徴とする技術的手段を採用する。
【００２３】
この構成によれば、貯水槽内の気温が上昇してもその気温が容器内に伝わることが断熱手段により防止されるので、容器内の温度上昇が抑制され、次亜塩素酸ナトリウムガスの滅菌液からの気化を抑制できる作用を得ることができ、この作用により、容器内の滅菌液の濃度低下を大幅に抑制することができると共に、大気中への次亜塩素酸ナトリウムガスの拡散量を大幅に減少させることができる。
【００２４】
さらに、前記容器内の上部が所定の長さ以上のチューブを介して該容器外に連通されている構成を採用すると、容器内からポンプアップされた滅菌液の量に対応する空気をチューブにより容器内に導入される作用を得ることができるので、減圧による次亜塩素酸ナトリウムの気化を防止して、容器内の滅菌液の濃度低下を一層大幅に抑制できる。
【００２５】
又、前記容器内の上部を所定の長さ以上のチューブを介して該容器外に連通させると、容器内の気化した次亜塩素酸ナトリウムがチューブ外に拡散することを防止することができる作用を得ることができるので、容器内の次亜塩素酸ナトリウムガスの濃度を一定以上に保持して、滅菌液からの次亜塩素酸ナトリウムガスの気化を抑制することができ、滅菌液の濃度低下を更に一層大幅に抑制することができる。
【００２６】
ここで、前記チューブ内に、滅菌液から気化した次亜塩素酸ナトリウムを捕捉するフィルタを挿入すると、容器内で滅菌液から気化した次亜塩素酸ナトリウムガスがチューブから容器外に拡散することを確実に防止することができる。
【発明の効果】
【００２７】
本発明によれば、１回の運転におけるポンプの往復回数又は回転数を切替え設定することにより、１回の運転における供給量を段階的に切替え設定する供給量設定手段が設けられているので、貯水槽の容量に対応して供給量を簡単に切替えることができ、例えば供給量を従来の２倍以上に増量することにより、簡単に大型の貯水槽にも対応させることができるという効果を得ることができる。
【００２８】
又、本発明によれば、供給量設定手段により運転１回当りの往復回数又は回転数を増大させることにより、容器からポンプを経て貯水槽に開放される供給路の内圧又は負圧を高めて、該供給路内の析出物をポンプに吸引したり、貯水槽に押出したりすることができ、析出物による供給路の閉塞を解消することができる効果を得ることができる。
【００２９】
さらに、上記ポンプの滅菌液吐出口にＵトラップを備える構成とすれば、ポンプ内から上記容器内に滅菌液が逆流してポンプ内に空気が進入することを確実に防止できるため、ポンプの吸引効率が低下しない。
【００３０】
また、断熱手段により貯水槽内の熱が容器内に伝達されることを防止して、容器内の温度上昇を抑制することができる作用を得ることができるので、容器内での滅菌液からの次亜塩素酸ガスの気化を抑制して、滅菌液の濃度低下を抑制することがでる効果を得ることができる。
【００３１】
そして、以上の効果により、滅菌液の濃度管理が容易になり、貯水槽内への薬剤投入量が所定値を下回って所要の滅菌効果が得られなくなることを長期間にわたって防止することができる効果を得ることができる。
【発明を実施するための最良の形態】
【００３２】
（第１の実施の形態）
以下、本発明の第１の実施の形態を図面に基づいて具体的に説明する。図面において、図１は、本発明の第１の実施の形態に係る簡易滅菌液供給装置の構成図である。
【００３３】
図１に示すように、この簡易滅菌液供給装置１は、受水槽、高架水槽などの閉鎖された貯水槽２内に配置され、滅菌液を収容する容器３と、該容器３から滅菌液をポンプアップして貯水槽２に供給する往復動ポンプ４と、該往復動ポンプ４を伝動機構５を介して駆動するモータからなる電動駆動手段６と、乾電池からなる電源７及び上記電動駆動手段６を制御する制御部８とを備える。
【００３４】
図２の側面図に示すように、上記往復動ポンプ４は、いわゆる霧吹き器やポンプ式石鹸容器のポンプと同様に構成されているものであり、上記容器３の上部に昇降可能に組み付けられ、下方に押し込むとそのストロークに対応する量だけ該容器３の内容液を吐出し、押し込む力を解除すると自動的に元の高さに復帰すると共に、吐出量と同量の滅菌液を上記容器３から吸入して保持する自動復元機能を備えている。
【００３５】
なお、ここでは、滅菌液の往復動ポンプへの吸引により上記容器３内に生じる負圧を上記容器３に形成された該容器３の内外を連通させる通気孔から該容器３内に流入する空気により解消するようにしているが、上記容器３が可撓性を有する時には、該容器３を変形させて該容器３の容積を減少させることにより上記負圧を解消するようにしてもよい。
【００３６】
この往復動ポンプ４の吐出口は、該往復動ポンプ４の上端部の横側面に設けられ、この吐出口には該往復動ポンプ４と一体に形成されたホース１５が接続される。
【００３７】
このホース１５は例えば下に突に湾曲させてあり、その先端に貯水槽２に滅菌液を噴出するノズル１６が形成されている。そして、このノズル１６を上記往復動ポンプ４の吐出口よりも高く位置させることにより、上記容器３内の滅菌液がサイホン作用により貯水槽２に垂れ流しになることを防止している。
【００３８】
このサイホン作用は上記ノズル１６を上記往復動ポンプ４の吐出口よりも高く位置させてあれば起こらないので、ホース１５の形状として、例えばＶ字形に屈曲する形状や直線形状等を採用することができるが、ホース１５の中間部が上記往復動ポンプ４の吐出口より下方に位置する略Ｕ字形の形状を採用してＵトラップを構成することが好ましい。
【００３９】
このようにすれば、Ｕトラップの効果により、薬液がポンプ内から容器内に逆流して往復動ポンプ内に空気が進入することを確実に防止することができ、ポンプから滅菌液を確実に吐出することができる。
【００４０】
上記伝動機構５は、図２に示すように、最終段に上記ポンプ４の上面に転接させるカム５ａを備えている。
【００４１】
このカム５ａは上記電動駆動手段６によって１回転内で所定の角度にわたって往復回転させてもよいが、この実施例では、上記電動駆動手段６の制御を簡単にするために、このカム５ａを１方向に回転させるようにしている。
【００４２】
又、このカム５ａのカムプロフィルは、例えば上記往復動ポンプ４の最大ストロークに対応するカムリフトが得られる形状であれば特に限定されず、ここでは図３の説明図に示すように単純な円形に形成して、１回転で上記往復動ポンプ４を１往復させるようにしている。
【００４３】
上記往復動ポンプ４のストロークはこのカム５ａのカムリフトにより決定される。即ち、上記カム５ａの中心軸心５ｂは上記容器３に対して一定の位置に保持される。例えば上記往復動ポンプ４の休止時には、図３の（Ａ）に示すように、上記カム５ａは、カム面５ｃの上記往復動ポンプ４に当接している部分と中心軸心５ｂとの距離が最小になるカムリフトゼロ位置に保持され、上記中心軸心５ｂ回りに１方向に回転させるると、同図の（Ｂ）に示すようにカム面５ｃの上記往復動ポンプ３に当接する部分と中心軸心５ｂとの距離が最大になる最大リフト位置を経て、１回転で元のカムリフトゼロ位置に戻る。
【００４４】
即ち、上記往復動ポンプ４は、上記カム５ａが１回転する間に、同図の（Ａ）に示す上限位置から同図の（Ｂ）に示す下限位置までカム５ａにより押し下げられた後、カムリフトの減少に追随して同図の（Ａ）に示す上限位置に自動復帰し、上限位置から下限位置に押し下げられる間に滅菌液を吐出する。
【００４５】
上記カムリフトは上記往復動ポンプ４の最大ストローク以内で自由に決定することができ、例えばカム面５ｃと中心軸心５ｂとの最小距離が同じで、最大距離が異なる複数種類のカム５ａを用意し、これら複数種類の中から１往復当りの供給量が当該簡易滅菌液供給装置１を設備する貯水槽２の容量に適したカム５ａを択一するようにしてもよいが、ここでは、コストアップを避けるために、経験的に決定されたカムリフトを有するカム５ａを用いている。
【００４６】
なお、上記電動駆動手段６は回転機であるモータに代えて、例えばソレノイド（電磁石）と、該ソレノイドにより往復駆動されるプランジャ（ピストン）とを備える往復機を用いてもよく、この場合には、上記伝動機構５は省略することができる。
【００４７】
ところで、図１に示すように、上記制御部８には、例えばスィッチＡ、スィッチＢ及びからスィッチＣの３つのスィッチを備える頻度設定手段９が設けられ、スィッチＡ、スィッチＢ及びスィッチＣの状態により次掲の表１のように、１日当りの運転回数を１回から５回の間で切替え設定できるようにしている。
【００４８】
【表１】
2005125308.tif 000003
【００４９】
上記制御部８は、この頻度設定手段９により設定された回数に対応する運転を繰返す周期を求める周期演算部１７と、オンタイマ１８とを備え、このオンタイマ１８は、リセット後に上記周期演算部１７で求めた周期が経過するとタイムアップし、タイムアップするごとに上記電動駆動手段６の運転を開始させる一方、リセットされる。
【００５０】
又、この制御部８には、スィッチＤとスィッチＥとを備える供給量設定手段１０が設けられ、これらのスィッチＤとスィッチＥの状態によって供給量（１運転当りの往復回数）が、次掲の表２に示すように、０．５ｃｃ（１回）から２ｃｃ（４回）の間で切替え設定できるようにしてある。
【００５１】
【表２】
2005125308.tif 000004
【００５２】
もちろん、供給量制御手段１０に３個以上のスィッチを設け、これらのスィッチの切替え状態により更に多段階に供給量を切替え設定できるようにすることは可能である。又、スィッチに代えてダイアルを設け、ダイアルの位置により往復動ポンプ４の往復回数を切替え設定するようにしてもよい。
【００５３】
上記制御部８には、例えば上記オンタイマのタイムアップ、即ち、電動駆動手段６への通電開始によりリセットされ、リセット以後に上記供給量設定手段１０により設定された回数に対応する運転時間が経過すると上記電動駆動手段６への通電を停止させるオフタイマ１９が設けられる。
【００５４】
もっとも、このオフタイマ１９に代えて、上記電動駆動手段６への通電開始によりリセットされ、上記電動駆動手段６の回転数、又は上記カム５ａの回転数、若しくは上記往復動ポンプ４の往復回数を検出する回数検出手段を設け、上記制御部８を、この回数検出手段により検出した回数が上記供給量設定手段１０により設定された回数に達した時に上記電動駆動手段６への通電を停止させるように構成してもよい。
【００５５】
又、上記電動駆動手段６としてソレノイド及びプランジャ（ピストン）を備える往復駆動手段を用いる場合には、上記制御部８を、ソレノイドへの通電回数やプランジャ又は往復動ポンプの往復回数を検出し、その検出値が上記供給量設定手段１０により設定された回数に達した時以後、次回の運転が開始されるまでソレノイドへの通電を禁止するように構成してもよい。
【００５６】
なお、上記制御部８には、メンテナンススィッチ１１が設けられ、このメンテナンススィッチ１１をＯＦＦにすると供給動作が停止される。
【００５７】
又、この制御部８にはリセットスィッチ１２が設けられ、このリセットスィッチ１２を押すと、上記オンタイマがリセットされると共に、１回の運転が開始される。
【００５８】
この他に、この制御部８には、運転状態を監視できるようにするために、電源７が正常であれば例えば２秒置きに点滅する電源ランプ１３と、上記電動駆動手段６が正常に動作しなかったときに上記電源ランプ１３と同期して点滅する異常報知ランプ１４とが設けられている。
【００５９】
さて、この簡易滅菌液供給装置１によれば、頻度設定手段９により例えば１日の内に繰返される運転回数を設定できると共に、供給量設定手段１０により１回の運転で供給する滅菌液の供給量を従来の１往復で供給できる量の整数倍（ここでは最大４倍）まで増量設定することができ、従来よりも容量の多い貯水槽２に適した量の滅菌液を適当な回数に分けて供給することができる。
【００６０】
又、この運転頻度の減少により、残留液からの析出物が生じ易くなり、例えば上記ノズル１６が析出物で詰まり易くなるが、運転１回当りの往復ポンプ４の往復回数が２回以上になれば、析出物で詰まっている供給路の内圧を増大させ、析出物を後続の滅菌液と共に上記ノズル１６から貯水槽２に噴出させることができ、１往復では解消できなかった上記ノズル１６の詰まりを自然に解消することができる。
【００６１】
加えて、運転１回当りの供給量の設定は、スィッチＤとスィッチＥの状態切替えによって行えるので、簡単な操作で、短時間で確実に供給量を変更することができる。
【００６２】
なお、上記の実施例では、電源７として乾電池を用いているが、例えば太陽電池を電源７に用いたり、太陽電池と共に蓄電池などの充電可能な二次電池を電源７に用いたりすることが可能である。太陽電池は貯水槽が屋外、特に屋上などに設置される場合には、電池交換の手間を省くことができるので好ましい。
【００６３】
（第２の実施の形態）
次に、本発明の第２の実施の形態を図面に基づいて具体的に説明する。
【００６４】
図４は本発明の第２の実施の形態に係る簡易滅菌液供給装置の側面図であり、図５は図４のＸ−Ｘ線横断平面図であり、図６は図４のＹ−Ｙ線横断平面図であり、図７は図４のＺ矢指部を拡大して示す斜視図であり、図８は該簡易滅菌液供給装置を設置した貯水槽の縦断側面図であり、図９は貯水槽内の温度と滅菌液の温度の日較差を比較して模式的に示す温度−時間関係図である。
【００６５】
図４に示すように、この簡易滅菌液供給装置１は、上記第１の実施の形態において説明した容器３（以下、内容器３という。）が格納される外容器２０と、この外容器２０の中間高さに固定されたフロート２１と、前記外容器２０の下面に固定された２２錘を備える。
【００６６】
前記内容器３は、所定量の次亜塩素酸ナトリウム水溶液からなる滅菌液を収容するために、耐薬品性及び耐酸性を備える例えばポリエチレン、ガラスなどからなり、その上端部に口２３を備える壜に形成されている。
【００６７】
この口２３は着脱可能なキャップ２４で閉塞され、このキャップ２４に内容器５内に収納された滅菌液をポンプアップして吐出する往復動ポンプ４が一体的に組み付けられている。
【００６８】
前記内容器３及び往復動ポンプ４は、必要に応じてホルダ２５に保持させて外容器２０に収納される。
【００６９】
このホルダ２５は、例えば下部に充電可能な電池７からなる電源を内蔵する電源部４３を備え、この電源部４３の上に前記内容器３が載せられる。又、このホルダ２５はその外周部から立ち上げた例えば１対の支柱２６を備える。
【００７０】
図４と図５に示すように、これら１対の支柱２６の中間高さにそれぞれベルト挿通部２７を設け、これらベルト挿通部２７に挿通したベルト２８を前記内容器３の周囲に巻きつけ、例えばベルベット式ファスナなどによりベルト２８の両端部を結合させることにより前記内容器３をホルダ２５に保持させる。
【００７１】
前記支柱２６の上端部には、必要に応じて、第１の実施の形態において説明した伝動機構５、電動駆動部６、及び制御部８からなる駆動手段２９が支持され、この駆動手段２９により前記往復動ポンプ４のプランジャ３０を所定のストロークにわたり押し下げると、このプランジャ３０の頭部に支持させたノズル１６を介して所定量の滅菌液が前記往復動ポンプ４から外容器２０外に吐出される。
【００７２】
ここで、このノズル１６の先端は、上記第１の実施の形態と同様に該ノズル１６のプランジャ３０への接続部よりも高い位置で開口させると共に、このノズル１６のプランジャ３０寄りの中間部を該ノズル１６の基端よりも低く位置させることにより、ポンプ停止時に往復動ポンプ４内に吸入されている滅菌液が内容器３内に流れ落ちることを防止するＵトラップ作用が発揮されるようにしている。
【００７３】
前記プランジャ３０は往復動ポンプ４に内蔵されたスプリングにより上昇付勢されていて、このスプリングによりプランジャ３０が前記駆動手段２９の動作に追従して押し下げられた位置から元の高さに復帰するときに前記内容器３内の滅菌液がポンプアップされる。
【００７４】
なお、前記駆動手段２９は、上記構成に限るものではなく、所定の周期ごとに、前記往復動ポンプ４のプランジャ３０を所定の高さから所定のストロークだけ押し下げ、引き続きプランジャ３０がスプリングの力で元の所定の高さまで上昇することを許容する動作を所定回繰り返すように構成してあればよい。
【００７５】
さて、図４から図６に示すように、この簡易滅菌液供給装置１は、前記外容器２０内に、該外容器２０外から該外容器２０内への伝熱を抑制する断熱手段３１が設けられていることを特徴とする。
【００７６】
これにより、前記外容器２０外の雰囲気温度（気温や水温）が上昇してもその温度が外容器２０内、即ち、内容器３内に伝わることが断熱手段３１により抑制され、内容器３内の滅菌液の温度上昇が抑制されるので、次亜塩素酸ナトリウムガスの滅菌液からの気化を抑制できる作用を得ることができる。
【００７７】
そして、この作用により、内容器３内の滅菌液の温度上昇に起因する濃度低下を大幅に抑制することができると共に、外容器２０外への次亜塩素酸ナトリウムガスの拡散量を大幅に減少させることができる。
【００７８】
この断熱手段３１は、外容器２０の内周面に貼り付けられた外周断熱材３２と、内容器３の上部に被された上面断熱材３３と、前記ホルダ２５の電源部４３とで構成されている。
【００７９】
前記外周断熱材３２と上面断熱材３３は例えば発泡スチロールなどの断熱性を有する合成樹脂成形品からなり、前記電源部４３はその内部に形成された空間の空気及び電池７を収納するケースが外容器２０の下方から内容器３への伝熱を抑制する断熱作用を担う。
【００８０】
もっとも、断熱手段３１は外容器２０外から外容器２０内への伝熱を空気層による伝熱よりも減少させるように構成してあればよく、例えば外容器２０と内容器３との間に水や冷媒などを貯留し、その蒸発による冷却作用や蓄熱作用により内容器３への伝熱を減衰させる構成を採用してもよい。
【００８１】
又、外容器２０と内容器３との間に樹脂ビーズ、ガラスビーズなどの蓄熱体等を充填して、外容器２０から内容器３への伝熱面積を減少させるとともに、蓄熱作用と大気中への放熱作用により内容器３への伝熱量を減少させて、外容器２０から内容器３内への伝熱を減衰させる構成を採用してもよい。
【００８２】
又、前記断熱手段３１は該内容器３の全周囲にわたって設ける必要はなく、内容器３の周囲に部分的に設けてもよい。
【００８３】
なお、この実施例では、外容器２０の外側から内側への伝熱を抑制できるように、外容器２０を例えば塩化ビニルなどの熱伝導率の小さい素材で形成することにより、外容器２０外から外容器２０内への伝熱を一層大幅に抑制するようにしている。
【００８４】
次に、この簡易滅菌液供給手段１は、前記内容器３内の上部が所定の長さ以上のチューブ３４を介して該内容器３外に連通されていることを特徴としている。
【００８５】
これにより、内容器３内からポンプアップされた滅菌液の量に対応する量の空気をチューブ３４により内容器３内に導入して、内容器３の内圧が減圧されることを防止することができるので、減圧による次亜塩素酸ナトリウムの気化を防止して、内容器３内の滅菌液の濃度低下を一層大幅に抑制できる。
【００８６】
ところで、一般に、内容器３内の空気は所定の濃度で次亜塩素酸ナトリウムガスを含んでいるのに対して、外容器２０外の空気の次亜塩素酸ナトリウムガス濃度は薄く、内容器３内の上部と内容器３外を連通させる通気路があれば、内容器３内から次亜塩素酸ナトリウムガスが内容器３外に拡散する。
【００８７】
この拡散は次亜塩素酸ナトリウムの濃度差に対応して進むので、所定長さ以上のチューブ３４内では、内容器３側端部では活発に拡散が行われるが、外部開放端側に近付くにつれて次第に鈍化し、外部開放端では拡散が無視できるほどに不活発になる。
【００８８】
そこで、このチューブ３４の長さを、内容器３内で気化した次亜塩素酸ナトリウムの拡散濃度が内容器３内の濃度からほぼ０になる程度に減少される程度の長さよりも長くすれば、気化により増大した次亜塩素酸ナトリウムがチューブ３４から内容器３外に放散することなく、チューブ３４外端部内の空気をチューブ３４外に押し出すようにすることができる。
【００８９】
つまり、内容器３内で気化した次亜塩素酸ナトリウムが簡易滅菌液供給装置１外に拡散することを確実に防止することができると共に、内容器３内の次亜塩素酸ナトリウムガス濃度を一定以上に保持することにより、滅菌液からの次亜塩素酸ナトリウムガスの気化を抑制すると共に、気化した次亜塩素酸ナトリウムガスを滅菌液に再溶解させて、内容器３内における滅菌液の濃度低下を更に一層大幅に抑制することができる。
【００９０】
又、前記チューブ３４には、滅菌液から蒸発した次亜塩素酸ナトリウムガスを捕捉するフィルタ３５を介在させてあり、これにより、チューブ３４を経て内容器３外に次亜塩素酸ナトリウムガスが漏洩することを確実に防止している。
【００９１】
図７に示すように、このフィルタ３５は、一端が内容器３内の上部に連通され、他端が内容器３外に連通される筒形のフィルタケース３６と、該フィルタケース３６内に収納された、例えば活性炭、ゼオライトなどの公知の通気性のある固形吸着剤からなる吸着層３７を備える。
【００９２】
なお、この吸着層３７は、劣化により微粉化した吸着剤を散乱させないために、通気性合成樹脂フィルム、紙などからなる通気性を有する容器（例えば袋）に収納してフィルタケース３６に収納することが好ましい。
【００９３】
又、外容器２０内の例えば前記ホルダ２５の上側には、必要に応じて、通気性のある吸着剤容器３８が配置され、この吸着剤容器３８内に収納した吸着剤により前記内容器３外の空気中に含まれている次亜塩素酸ナトリウムガスを吸着するようにしている。
【００９４】
加えて、仮に外容器２０の内部に次亜塩素酸ナトリウムガスが拡散した場合であっても、この次亜塩素酸ナトリウムガスが駆動手段２９の電動駆動部６や制御部８を構成する機器を腐食することがないように、上記駆動手段２９は密閉された容器内に収納されている。すなわち、前記往復動ポンプ４のプランジャ３０を所定のストロークにわたり押し下げる駆動手段２９の伸縮部分の周囲には、例えば、駆動手段２９の伸縮部分の伸縮に追従して伸縮するジャバラ状のカバー４４が設けられ、駆動手段２９の内部に次亜塩素酸ナトリウムガスが進入することを確実に防止できる構成としている。
【００９５】
図８に示すように、この簡易滅菌液供給装置１は、外容器２０に連結された支持部材３９により貯水槽２内に吊り下げられ、貯水槽２に貯留されている水４０に浮かばせるようにして貯水槽２内に配置される。
【００９６】
そして、所定の時間が経過するごとに図４に示す駆動手段２９を作動させて、第１の実施の形態で説明したように、往復動ポンプ４を１〜数回往復させて所定量（体積）の滅菌液を貯水槽２内に滴下することにより、前記水４０中の次亜塩素酸ナトリウム濃度を最適値である０．３ｐｐｍを目標にして、下限０．１ｐｐｍから上限１ｐｐｍの範囲に制御する。
【００９７】
ここで、上述したように、内容器３内への伝熱を断熱手段３１により抑制することにより、例えば図９に示すように、貯水槽２内の1日内での気温の変化に対して内容器３内の滅菌液気温の変化を著しく小さくすることができ、温度上昇による次亜塩素酸ナトリウムの気化を大幅に減少させることができる。
【００９８】
又、前記チューブ３４とフィルタ３５により次亜塩素酸ナトリウムガスが内容器３から簡易滅菌液供給装置１外に放散することが防止されることにより、拡散による次亜塩素酸ナトリウムの気化が抑制される。
【００９９】
その結果、内容器３内の滅菌液の濃度低下を大幅に抑制することができ、各回の滅菌液供給において、０．１ｐｐｍオーダーの制御精度が必要な薬剤投入量に対する信頼性を高めることができると共に、貯水槽２内への次亜塩素酸ナトリウムガスの拡散量を無視できる程度にまで大幅に減少させ、貯水槽２外への次亜塩素酸ナトリウムの拡散を無くすことができる。
【０１００】
なお、図４に示すように、前記外容器２０には往復動ポンプ４のノズル１６を通すために縦長の挿通口４１が形成されているが、ノズル１６及び挿通口４１の周囲をカバー４２で閉塞することにより、内容器３あるいは往復動ポンプ４から外容器２０内に漏洩した次亜塩素酸ナトリウムガスが外容器２０外に拡散したり、貯水槽２内で気化した次亜塩素酸ナトリウムガスが外容器２０内に拡散したりすることを防止している。前記カバー４２は、例えば合成樹脂フィルムからなり、ノズル１６の昇降を妨げない程度に長さに余裕を持たせた形状に形成されている。
【図面の簡単な説明】
【０１０１】
【図１】本発明の構成図である。
【図２】本発明の側面図である。
【図３】本発明に係る往復動ポンプの動作の説明図である。
【図４】本発明の縦断側面図である。
【図５】図４のＸ−Ｘ線横断平面図である。
【図６】図４のＹ−Ｙ線横断平面図である。
【図７】図４のＺ矢指部の斜視図である。
【図８】本発明を設置した貯水槽の縦断側面図である。
【図９】本発明の温度−時間関係図である。
【符号の説明】
【０１０２】
１  簡易滅菌液供給装置
２  貯水槽
３  容器（内容器）
４  往復動ポンプ
６  電動駆動手段
７  電源
８  駆動部制御手段
９  運転頻度制御手段
１０  供給量制御手段
２０  外容器
３１  断熱手段
３４  チューブ
３５  フィルタ
【図１】
2005125308.tif 000005
【図２】
2005125308.tif 000006
【図３】
2005125308.tif 000007
【図４】
2005125308.tif 000008
【図５】
2005125308.tif 000009
【図６】
2005125308.tif 000010
【図７】
2005125308.tif 000011
【図８】
2005125308.tif 000012
【図９】
2005125308.tif 000013